(57)【要約】      （修正有）【課題】ポンプから供給されるエアの圧損を抑え、ポンプの負荷を低減することができる活魚輸送用容器を提供する。【解決手段】活魚輸送用容器の隔壁２４の上面２４ａには、ポンプ収容部２１ＢのポンプＰから魚介類収容部２１Ａにエアを供給するエアチューブＴを案内するチューブ案内溝と、魚介類収容部２１Ａからチューブ案内溝に流入した水を排水する第１排水溝２６Ａと、が形成されている。第１排水溝２６Ａの底面２６ｃ、２６ｄのうち少なくとも底面２６ｃは、チューブ案内溝を分断するように形成されており、底面２６ｃ、２６ｄはチューブ案内溝の底面よりも低い位置に形成されており、第１排水溝２６Ａは、蓋体を被蓋した状態で、活魚輸送用容器の外側に開口する第１排水口２６ａが形成されている。【選択図】図５Ｂ
0003221176.tif 000002
【実用新案登録請求の範囲】
【請求項１】
魚介類を収容する魚介類収容部と、前記魚介類収容部にエアを供給するポンプを収容するポンプ収容部とが、隔壁により離間形成された容器本体と、前記容器本体に被蓋する蓋体と、を備えた活魚輸送用容器であって、
前記隔壁の上面には、前記ポンプ収容部のポンプから前記魚介類収容部にエアを供給するエアチューブを案内するチューブ案内溝と、前記魚介類収容部から前記チューブ案内溝に流入した水を排水する第１排水溝と、が形成されており、
前記第１排水溝の底面は、前記チューブ案内溝を分断するように前記チューブ案内溝の底面よりも低い位置に形成されており、
前記第１排水溝には、前記蓋体を被蓋した状態で、前記活魚輸送用容器の外側に開口する第１排水口が形成されていることを特徴とする活魚輸送用容器。
【請求項２】
前記第１排水溝によって分断される前記チューブ案内溝の分断長さは、前記第１排水溝の幅よりも大きいことを特徴とする請求項１に記載の活魚輸送用容器。
【請求項３】
前記第１排水溝の底面のうち少なくとも前記チューブ案内溝を分断する部分の底面は、前記第１排水口に向かって下方に傾斜していることを特徴とする請求項１または２に記載の活魚輸送用容器。
【請求項４】
前記隔壁の上面には、前記魚介類収容部から前記チューブ案内溝に向かう水を排水する第２排水溝がさらに形成されており、
前記第２排水溝の底面は、前記チューブ案内溝の底面よりも低い位置に形成されており、
前記チューブ案内溝の前記魚介類収容部側の端部は、前記第２排水溝に面する位置に形成されており、
前記第２排水溝は、前記容器本体に前記蓋体を被蓋した状態で、前記活魚輸送用容器の外側に開口する第２排水口が形成されていることを特徴とする請求項１〜３のいずれか一項に記載の活魚輸送用容器。
【請求項５】
前記第２排水溝の底面は、前記魚介類収容部側から前記活魚輸送用容器の外側に向かって、上方に傾斜した後、下方に傾斜していることを特徴とする請求項４に記載の活魚輸送用容器。
【請求項６】
前記ポンプから供給されたエアが、前記第２排水溝を介して前記第２排水口から排出されるように、前記容器本体に前記蓋体を被蓋した状態で、前記魚介類収容部は密閉状態となることを特徴とする請求項４または５に記載の活魚輸送用容器。
【請求項７】
前記容器本体の側面には、前記第１排水口の下方に取っ手部が形成されており、
前記取っ手部には、滑り止め用の凹部または凸部が形成されていることを特徴とする請求項１〜６のいずれか一項に記載の活魚輸送用容器。
【考案の詳細な説明】
【技術分野】
【０００１】
本考案は、魚介類を活性状態で良好に搬送することをできるようにした活魚輸送用容器に関する。
【背景技術】
【０００２】
従来から、魚類、貝類、甲殻類等の魚介類を活性状態（生きた状態）で搬送する際に、活魚輸送用容器が利用されている。活魚輸送用容器は、容器本体とこれに被蓋される蓋体とを備えており、容器本体には、魚介類を収容する魚介類収容部と、魚介類収容部にエアを供給するポンプを収容するポンプ収容部とが、隔壁により離間形成されている。
【０００３】
ところで、活魚輸送用容器を搬送する際に、魚介類収容部には魚介類とともに水（海水も含む）が収容されているので、ポンプに接続されたエアチューブのチューブ案内溝を介して魚介類収容部からポンプ収容部に流れ込むことがある。
【０００４】
このような点を鑑みて、たとえば、特許文献１には、ポンプに接続されるエアチューブが容器本体から外部に迂回するように、容器本体の側壁部にチューブ案内溝を形成した活魚輸送用容器が提案されている。具体的には、チューブ案内溝は、魚介類収容部から容器外部にエアチューブを案内する第１案内溝と、ポンプ収容部から容器外部にエアチューブを案内する第２案内溝と、を有している。
【０００５】
このように構成することにより、魚介類収容部から第１案内溝に流れる水は、容器外部に排出されるため、第１案内溝からの水が、第２案内溝に流れることを防止することができる。
【先行技術文献】
【特許文献】
【０００６】
【特許文献１】特開２００４−１１３１４０号公報
【考案の概要】
【考案が解決しようとする課題】
【０００７】
しかしながら、特許文献１の活魚輸送用容器では、ポンプに接続されるエアチューブが容器本体から外部に迂回するため、エアチューブによるエアの圧損が大きくなり、ポンプの負荷が大きくなることがある。
【０００８】
本考案は、このような点に鑑みてなされたものであり、その目的とするところは、ポンプから供給されるエアの圧損を抑え、ポンプの負荷を低減することができる活魚輸送用容器を提供することにある。
【課題を解決するための手段】
【０００９】
前記課題を解決すべく、本考案に係る活魚輸送用容器は、魚介類を収容する魚介類収容部と、前記魚介類収容部にエアを供給するポンプを収容するポンプ収容部とが、隔壁により離間形成された容器本体と、前記容器本体に被蓋する蓋体と、を備えた活魚輸送用容器であって、前記隔壁の上面には、前記ポンプ収容部のポンプから前記魚介類収容部にエアを供給するエアチューブを案内するチューブ案内溝と、前記魚介類収容部から前記チューブ案内溝に流入した水を排水する第１排水溝と、が形成されており、前記第１排水溝の底面は、前記チューブ案内溝を分断するように前記チューブ案内溝の底面よりも低い位置に形成されており、前記第１排水溝には、前記蓋体を被蓋した状態で、前記活魚輸送用容器の外側に開口する第１排水口が形成されていることを特徴とする。
【００１０】
本考案によれば、チューブ案内溝を分断するようにチューブ案内溝の底面よりも低い位置に形成されているので、魚介類収容部からチューブ案内溝に流入した水は、第１排水溝から活魚輸送用容器の外側の第１排水口に排水することができる。この結果、魚介類収容部からチューブ案内溝を介してポンプ収容部に水が流れ込み、ポンプに水が晒されることを防止することができる。
【００１１】
また、チューブ案内溝は、魚介類収容部とポンプ収容部とを区画する隔壁に形成されているため、これまでとは異なり、より短いルートでエアチューブを案内することができる。この結果、ポンプから供給されるエアの圧損を抑え、ポンプの負荷を低減することができる。
【００１２】
ここで、第１排水溝がチューブ案内溝を分断し、チューブ案内溝を流れる水を第１排水溝から排水することができるのであれば、第１排水溝とチューブ案内溝の幅は特に限定されるものではない。しかしながら、より好ましい態様としては、第１排水溝によって分断されるチューブ案内溝の分断長さは、第１排水溝の幅よりも大きい。
【００１３】
これにより、第１排水溝により分断した部分に、液溜め部が形成されるため、チューブ案内溝から水が溢れて、ポンプ収容部に流れ込むことを防止することができる。
【００１４】
ここで、チューブ案内溝に流れ込んだ水を第１排水溝から排水することができるのであれば、第１排水溝の底面の勾配は特に限定されるものではない。しかしながら、より好ましい態様としては、第１排水溝の底面のうち少なくともチューブ案内溝を分断する部分の底面は、前記第１排水口に向かって下方に傾斜している。
【００１５】
この態様によれば、チューブ案内溝を分断する部分の底面を第１排水口に向かって下方に傾斜させることにより、液溜め部に溜った水を第１排水口に速やかに流し、これを第１排水口から外部に排水することができる。
【００１６】
ここで、第１排水溝により、チューブ案内溝に流れる水を排水することができるのであれば、その他の排水溝を設けなくてもよい。しかしながら、より好ましい態様としては、隔壁の上面には、魚介類収容部から前記チューブ案内溝に向かう水を排水する第２排水溝がさらに形成されており、前記第２排水溝の底面は、前記チューブ案内溝の底面よりも低い位置に形成されており、前記チューブ案内溝の前記魚介類収容部側の端部は、前記第２排水溝に面する位置に形成されており、前記第２排水溝は、前記容器本体に前記蓋体を被蓋した状態で、前記活魚輸送用容器の外側に開口する第２排水口が形成されている。
【００１７】
この態様によれば、チューブ案内溝の魚介類収容部側の端部は、第２排水溝に面する位置に形成されているため、魚介類収容部側からチューブ案内溝に流れ込もうとする水を、チューブ案内溝の底面よりも低い底面を有した第２排水溝に速やかに流すことができる。これにより、チューブ案内溝に向かう水を、第２排水溝を介して第２排水口から外部に排水することができる。
【００１８】
ここで、チューブ案内溝に向かう水を第２排水溝から排水することができるのであれば、第１排水溝の底面の勾配は特に限定されるものではない。しかしながら、より好ましい態様としては、第２排水溝の底面は、魚介類収容部側から活魚輸送用容器の外側に向かって、上方に傾斜した後、下方に傾斜している。
【００１９】
この態様によれば、魚介類収容部から第２排水溝を通過しようとする水を、上方に傾斜した傾斜面で魚介類収容部に戻す。さらに、上方に傾斜した傾斜面を通過した水は、その後に続く下方に傾斜した傾斜面を流れるため、第２排水口から速やかに排水される。
【００２０】
ここで、容器本体に被蓋される蓋体に、容器本体に蓋体を被蓋した状態で、魚介類収容部のエアを排気する貫通孔を設けてもよい。しかしながら、より好ましい態様としては、前記ポンプから供給されたエアが、前記第２排水溝を介して前記第２排水口から排出されるように、前記容器本体に前記蓋体を被蓋した状態で、前記魚介類収容部は密閉状態となる。
【００２１】
この態様によれば、容器本体に蓋体を被蓋した状態で、魚介類収容部は密閉状態となるため、ポンプから供給されたエアは、第２排水溝を介して第２排水口から排出される。この結果、たとえば、魚介類収容部から水が第２排水溝に流れ込んだとしても、この水が第２排水溝に滞留することなく、ポンプから供給されたエアで、活魚輸送用容器の外部に押し流すことができる。
【００２２】
さらに、容器本体またはこれに蓋体が被蓋された活魚輸送用容器を容易に持ち運びすることができるのであれば、取っ手の位置は特に限定されない。しかしながら、より好ましくい態様としては、容器本体の側面には、前記第１排水口の下方に取っ手部が形成されており、前記取っ手部には、滑り止め用の凹部または凸部が形成されている。
【００２３】
ここで、第１排水口の下方に取っ手部を設けると、第１排水口から排水される水により、取っ手部が濡れて滑り易いところ、この態様によれば、取っ手部に滑り止め用の凹部または凸部を設けているので、取っ手部の滑りを防止し、部活魚輸送用容器を容易に持ち運びすることができる。
【考案の効果】
【００２４】
本考案によれば、ポンプから供給されるエアの圧損を抑え、ポンプの負荷を低減することができる。
【図面の簡単な説明】
【００２５】
【図１Ａ】本考案の実施形態に係る活魚輸送用容器の模式的分解斜視図である。
【図１Ｂ】図１Ａに示す容器本体に蓋体を被蓋した状態の活魚輸送用容器の斜視図である。
【図２Ａ】図１Ａに示す容器本体を上方から見た斜視図である。
【図２Ｂ】図１Ａに示す容器本体を下方の一方側から見た斜視図である。
【図２Ｃ】図１Ａに示す容器本体を下方の他方側から見た斜視図である。
【図３Ａ】図１Ａに示す蓋体を上方から見た斜視図である。
【図３Ｂ】図１Ａに示す蓋体を下方から見た斜視図である。
【図４】図２Ａに示す容器本体にポンプとエアチューブを取り付けた状態の平面図である。
【図５Ａ】図２Ａに示す容器本体の要部斜視図である。
【図５Ｂ】図５Ａに示す容器本体にポンプとエアチューブを取り付けた状態の斜視図である。
【図６Ａ】図５ＢのＡ−Ａ線に沿った断面図である。
【図６Ｂ】図５ＢのＢ−Ｂ線に沿った断面図である。
【図７】図１Ｂに示す活魚輸送用容器の変形例に係る斜視図である。
【考案を実施するための形態】
【００２６】
以下に本考案の実施形態に係る活魚輸送用容器を図面を参照しながら説明する。
【００２７】
図１Ａに示すように、本実施形態に係る活魚輸送用容器１０は、魚介類を活性状態で収容し、これを輸送するための容器である。魚介類としては、タイ、ヒラメ、フグなどの魚類、クルマエビ、伊勢エビ、カニなどの甲殻類、サザエ、アワビなどの貝類等を挙げることができる。
【００２８】
活魚輸送用容器１０は、発泡樹脂からなり、たとえば、ポリスチレン、スチレン改質ポリオレフィン系樹脂、ハイインパクトポリスチレン、スチレン−エチレン共重合体、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等の各種合成樹脂の発泡体を用いることができる。スチレン改質ポリオレフィン系樹脂は、ポリオレフィン系樹脂粒子にスチレン系単量体を含浸重合させて得られるものであり、スチレン改質ポリオレフィン系樹脂の中でも、スチレン改質ポリエチレン樹脂が好ましく、たとえば、スチレン成分の割合は４０〜９０重量％、好ましくは５０〜８５重量％、さらに好ましくは５５〜７５重量％のものが用いられる。
【００２９】
中でも、発泡性樹脂粒子を予備発泡する工程、得られた発泡樹脂粒子を型内発泡成形する工程、これらの工程を経て得られた型内発泡成形体が好適に用いられる。型内発泡成形体としては、ポリスチレンまたはスチレン改質ポリオレフィン系樹脂等のポリスチレン系樹脂発泡体が好適に用いられる。
【００３０】
また、発泡体の発泡倍率は３０〜８０倍が好ましい。本実施形態の活魚輸送用容器１０で使用する発泡樹脂は、従来に比較して発泡倍率を高めに設定している。このように発泡倍率を高めることで、荷重が加わったときに従来の発泡倍率の場合と比較して、より潰れ易く緩衝効果に優れた構成となっている。
【００３１】
図１Ａおよび図１Ｂに示すように、活魚輸送用容器１０は、容器本体２０と、容器本体２０に被蓋される蓋体３０と、を備えている。本実施形態では、容器本体２０には、魚介類を収容する魚介類収容部２１Ａと、魚介類収容部２１Ａにエアを供給するポンプＰ（図４参照）を収容するポンプ収容部２１Ｂとが、隔壁２４により離間形成されている。
【００３２】
具体的には、容器本体２０は、平面視で長辺と短辺を有した矩形状であり、底部２２と、底部２２の周縁から立設した側壁部２３Ａ、２３Ｂと、を備えている。図１Ａおよび図２Ａにおいて、側壁部２３Ａは、平面視で長辺方向に沿って形成されており、側壁部２３Ｂは、短辺方向に沿って形成されている。
【００３３】
これらの側壁部２３Ａ、２３Ｂにより、上方に開口した空間が形成され、この空間に隔壁２４を設けることにより、魚介類収容部２１Ａとポンプ収容部２１Ｂとが区画されている。
【００３４】
容器本体２０の側壁部２３Ａ、２３Ｂの端面には、開口縁部２０ａが形成されて、開口縁部２０ａには、蓋体３０に嵌合する嵌合凹部２０ｂが形成されている。一方、図２Ｂおよび図２Ｃに示すように、容器本体２０の底部２２の底面２０ｃには、突出部２０ｄ、２０ｅが形成されている。
【００３５】
突出部２０ｄ、２０ｅは、活魚輸送用容器１０を上下方向に段積みした際に、下段の蓋体３０の凹所３１に入り込むことで、上段の活魚輸送用容器１０が下段の蓋体３０に係合するように形成されている。これに加えて、突出部２０ｄ、２０ｅは、蓋体３０を被蓋せずに容器本体２０を上下方向に段積みした際に、これらの間に隔壁２４の端部が入り込み、かつ、これらの周りに側壁部２３Ａ、２３Ｂの端部が配置され、上段の容器本体２０が下段の容器本体２０に係合するように形成されている。
【００３６】
図２Ａおよび図４に示すように、容器本体２０の向い合う側壁部２３Ｂ、２３Ｂの内面には、厚肉部２３ａ、２３ａが形成されている。厚肉部２３ａ、２３ａに対応する側壁部２３Ｂの外側面２３ｂには、取っ手部２７が形成されている。
【００３７】
より具体的には、図２Ｂおよび図２Ｃに示すように、取っ手部２７は、容器本体２０の外側面２３ｂの後述する第１排水口２６ａの下方に形成されており、外側面２３ｂに対して凹んだ形状である。取っ手部２７には、容器本体２０の下方に向いた把持面２７ａが形成されている。把持面２７ａには、把持面２７ａから突出した滑り止め用の凸部２８として２つの突条部が形成されている。
【００３８】
第１排水口２６ａの下方に取っ手部２７を設けると、第１排水口２６ａから排水される水により、取っ手部２７が濡れて滑り易いところ、本実施形態では、取っ手部２７に滑り止め用の凸部２８を設けているので、取っ手部２７の滑りを防止し、活魚輸送用容器１０を容易に持ち運びすることができる。
【００３９】
なお、本実施形態では、把持面２７ａに滑り止め用の凸部２８として２つの突条部を設けたが、把持面２７ａに対して滑り止めの機能を有する凸部であるならば、凸部の個数および形状は特に限定されるものではなく、たとえば、滑り止めの機能を有する凹溝などの凹部等であってもよい。
【００４０】
さらに、一方側の側壁部２３Ｂには、その一部と隔壁２４により、ポンプ収容部２１Ｂが形成されている。ポンプ収容部２１Ｂを形成する側壁部２３Ｂの一部には、開口部２１ａが形成されている。これにより、ポンプ収容部２１Ｂに収容されたポンプＰは、開口部２１ａを介して外部からの空気を吸い込むことができる。これに加えて、ポンプＰが収容されているか、収容されていないかに拘わらず、ポンプ収容部２１Ｂ内に流入した水を、開口部２１ａから外部に排水することができる。
【００４１】
さらに、容器本体２０の対向する隅部には、指掛け用凹部２９、２９が形成されている。図１Ｂに示す状態から、蓋体３０を容器本体２０から取り外す際には、指掛け用凹部２９、２９に指を引っ掛けて、蓋体３０をさらに上方に持ち上げることにより、蓋体３０を容器本体２０から容易に取り外すことができる。
【００４２】
図３Ａおよび図３Ｂに示すように、蓋体３０は、上面３０ａから裏面３０ｂまで貫通した一対の貫通孔３２、３２が形成されている。さらに、蓋体３０の上面３０ａには、貫通孔３２の周りから蓋体３０の周縁まで凹んだ通気用凹部３３が形成されている。
【００４３】
このように、貫通孔３２を設けることにより、後述するポンプＰからエア拡散部Ｄを介して魚介類収容部２１Ａに供給されたエアを貫通孔３２から排出することができる。さらに、通気用凹部３３を設けることにより、活魚輸送用容器１０を上下方向に段積みした場合であっても、下段の貫通孔３２から排出されたエアを、通気用凹部３３から活魚輸送用容器１０の外部に排出することができる。
【００４４】
一方、図３Ｂに示すように、蓋体３０の裏面３０ｂには、内側突条部３５ａ、突出部３５ｂ、外側突条部３５ｃが形成され、これらの間に凹部３６が形成されている。蓋体３０を被蓋する際には、容器本体２０の隔壁２４の端部および側壁部２３Ａ、２３Ｂの端部が、凹部３６に入り込み、外側突条部３５ｃが、容器本体２０の嵌合凹部２０ｂに入り込み、容器本体２０に蓋体３０を嵌合させることができる。
【００４５】
図４に示すように、本実施形態では、ポンプ収容部２１ＢにポンプＰを収容し、エアチューブＴを介して、容器本体２０の魚介類収容部２１Ａの底面２２ａに配置されたエア拡散部Ｄにより、魚介類収容部２１Ａにエアを供給する。
【００４６】
図４および図５Ａに示すように、容器本体２０の隔壁２４の上面２４ａには、エアチューブＴを案内するチューブ案内溝２５が形成されている。容器本体２０の隔壁２４の側面２４ｂにも、エアチューブＴを案内するチューブ案内溝２４ｃが形成されている。エアチューブＴは、ポンプ収容部２１Ｂに収容されたポンプＰから魚介類収容部２１Ａにエアを供給するチューブである。容器本体２０の魚介類収容部２１Ａの底面２２ａにもエアチューブＴを案内するチューブ案内溝２２ｂが形成されており、チューブ案内溝２２ｂには、エアチューブＴを把持する把持部２２ｃが形成されている。
【００４７】
さらに、本実施形態では、図５Ａに示すように、容器本体２０の隔壁２４の上面２４ａには、魚介類収容部２１Ａからチューブ案内溝２５に流入した水を排水する第１排水溝２６Ａが形成されている。第１排水溝２６Ａの底面２６ｃ、２６ｄのうち少なくとも底面２６ｃは、チューブ案内溝２５を分断するように形成されており、底面２６ｃ、２６ｄはチューブ案内溝２５の底面２５ａよりも低い位置に形成されている。さらに、第１排水溝２６Ａには、蓋体３０を被蓋した状態で、活魚輸送用容器１０の外側に開口する第１排水口２６ａが形成されている（たとえば図１Ｂ参照）。
【００４８】
本実施形態では、第１排水溝２６Ａによって分断されるチューブ案内溝２５の分断長さＣは、第１排水溝２６Ａの幅Ｄよりも大きい。これにより、第１排水溝２６Ａにより分断した部分に、液溜め部（底面２６ｃを含む部分）が形成されるため、チューブ案内溝２５から水が溢れて、ポンプ収容部２１Ｂに流れ込むことを防止することができる。
【００４９】
さらに、図５Ａ、図５Ｂおよび図６Ａに示すように、第１排水溝２６Ａの底面２６ｃ、２６ｄのうち少なくともチューブ案内溝２５を分断する部分の底面２６ｃは、第１排水口２６ａに向かって下方に傾斜している。
【００５０】
チューブ案内溝２５を分断する部分の底面２６ｃを第１排水口２６ａに向かって下方に傾斜させることにより、液溜め部（底面２６ｃを含む部分）に溜った水を第１排水口２６ａに速やかに流し、これを第１排水口２６ａから外部に排水することができる。チューブ案内溝を分断する部分の底面２６ｃを傾斜させるなどした場合、底面２６ｃの全部がチューブ案内溝２５の底面２５ａよりも低い位置であることが好ましいが、エアチューブＴの経路を妨げないことを条件に、底面２６ｃの一部が底面２５ａと同じ位置か、底面２５ａよりも高い位置であってもよい。
【００５１】
さらに、本実施形態では、第１排水溝２６Ａに加えて、隔壁２４の上面２４ａには、第２排水溝２６Ｂが形成されている。第２排水溝２６Ｂは、魚介類収容部２１Ａからチューブ案内溝２５に流入しようとする水を排水する溝である。
【００５２】
具体的には、図５Ａおよび図６Ｂに示すように、第２排水溝２６Ｂの底面（２６ｅ、２６ｇ、２６ｆ）は、チューブ案内溝２５の底面２５ａよりも低い位置に形成されている。第２排水溝２６Ｂの端部のうち、容器本体２０の魚介類収容部２１Ａ側の端部は、隔壁２４の側面２４ｂに面する位置に形成されており、隔壁２４の側面２４ｂに形成されたチューブ案内溝２４ｃに連なる位置に形成されている。第２排水溝２６Ｂの端部のうち、他方の端部は、容器本体２０に蓋体３０を被蓋した状態で、活魚輸送用容器１０の外側に開口する第２排水口２６ｂとなる（例えば図１Ｂ参照）。チューブ案内溝２５の魚介類収容部２１Ａ側の端部は、第２排水溝２６Ｂに面する位置に形成されており、その他方の端部は、ポンプ収容部２１Ｂに面する位置に形成されている。
【００５３】
このように、チューブ案内溝２５の魚介類収容部２１Ａ側の端部は、第２排水溝２６Ｂに面する位置に形成されているので、魚介類収容部２１Ａからチューブ案内溝２５に直接水が流れ込むことがない。また、第２排水溝２６Ｂは、チューブ案内溝２５の底面２５ａよりも低い底面（２６ｅ、２６ｇ、２６ｆ）を有しているので、魚介類収容部２１Ａ側からチューブ案内溝２５に流れ込もうとする水を、第２排水溝２６Ｂに速やかに流し、第２排水口２６ｂから外部に排水することができる。
【００５４】
さらに、本実施形態では、第２排水溝２６Ｂの底面（２６ｅ、２６ｆ）は、魚介類収容部２１Ａ側から活魚輸送用容器１０の外側に向かって、上方に傾斜した後、下方に傾斜している。より具体的には、第２排水溝２６Ｂの底面は、魚介類収容部２１Ａ側から外部に向かって上方に傾斜した第１傾斜面２６ｅと、第１傾斜面２６ｅよりも外側に、魚介類収容部２１Ａ側から外部に向かって下方に傾斜した第２傾斜面２６ｆとを有している。
【００５５】
このように構成することにより、魚介類収容部２１Ａから第２排水溝２６Ｂを通過しようとする水は、上方に傾斜した第１傾斜面２６ｅにより魚介類収容部２１Ａに戻される。さらに、第１傾斜面２６ｅおよび平坦面２６ｇを通過した水は、下方に傾斜した第２傾斜面２６ｆを流れ落ちるため、この水を第２排水口２６ｂから速やかに排水することができる。
【００５６】
なお、図５Ａ等に示すように、本実施形態では、第１傾斜面２６ｅと第２傾斜面２６ｆとの間に、第２排水溝２６Ｂの底面の一部として、水平方向に延在した平坦面２６ｇが形成されているが、第１傾斜面２６ｅと第２傾斜面２６ｆとが連続していてもよい。
【００５７】
以上、本実施形態によれば、第１排水溝２６Ａの底面２６ｃ、２６ｄのうち少なくとも底面２６ｃは、チューブ案内溝２５を分断するように形成されており、底面２６ｃ、２６ｄはチューブ案内溝２５の底面２５ａよりも低い位置に形成されているので、魚介類収容部２１Ａからチューブ案内溝２５に流入した水を、第１排水溝２６Ａから活魚輸送用容器１０の外側の第１排水口２６ａに排水することができる。この結果、魚介類収容部２１Ａからチューブ案内溝２５を介してポンプ収容部２１Ｂに水が流れ込むことを防止し、この水にポンプＰが晒されることを防止することができる。
【００５８】
また、チューブ案内溝２５は、魚介類収容部２１Ａとポンプ収容部２１Ｂとを区画する隔壁２４に形成されている。したがって、これまでのものとは異なり、魚介類収容部２１Ａからポンプ収容部２１Ｂまでのルートがより短いルートとなるように、エアチューブＴを案内することができる。この結果、ポンプＰから供給されるエアの圧損を抑え、ポンプＰの負荷を低減することができる。
【００５９】
さらに、図７に示す変形例のように、図１Ｂで示した貫通孔３２を蓋体３０に設けなくてもよい。これにより、ポンプＰからエア拡散部Ｄを介して魚介類収容部２１Ａに供給されたエアが、第２排水溝２６Ｂを介して第２排水口２６ｂから排出されるようになり、容器本体２０に蓋体３０を被蓋した状態で、魚介類収容部２１Ａは密閉状態となる。
【００６０】
この変形例によれば、容器本体２０に蓋体３０を被蓋した状態で、魚介類収容部２１Ａは密閉状態となるため、ポンプＰからエア拡散部Ｄを介して魚介類収容部２１Ａに供給されたエアは、第２排水溝２６Ｂを介して第２排水口２６ｂから排出される。この結果、たとえば、第２排水溝２６Ｂに、魚介類収容部２１Ａから水が流れ込んだとしても、この水をポンプＰからエア拡散部Ｄを介して魚介類収容部２１Ａに供給されたエアで、活魚輸送用容器１０の外部に押し流すことができる。
【００６１】
以上、本考案のいくつかの実施形態について詳述したが、本考案は、前記の実施形態に限定されるものではなく、実用新案登録請求の範囲および明細書に記載された本考案の精神を逸脱しない範囲で、種々の設計変更を行うことができるものである。
【符号の説明】
【００６２】
１０：活魚輸送用容器、２０：容器本体、２１Ａ：魚介類収容部、２１Ｂ：ポンプ収容部、２４：隔壁、２５：チューブ案内溝、２６Ａ：第１排水溝、２６Ｂ：第２排水溝、２６ａ：第１排水口、２６ｂ：第２排水口、２７：取っ手部、２８：滑り止め用の凸部、Ｐ：ポンプ、Ｔ：チューブ、Ｄ：エア拡散部
【図１Ａ】
0003221176.tif 000003
【図１Ｂ】
0003221176.tif 000004
【図２Ａ】
0003221176.tif 000005
【図２Ｂ】
0003221176.tif 000006
【図２Ｃ】
0003221176.tif 000007
【図３Ａ】
0003221176.tif 000008
【図３Ｂ】
0003221176.tif 000009
【図４】
0003221176.tif 000010
【図５Ａ】
0003221176.tif 000011
【図５Ｂ】
0003221176.tif 000012
【図６Ａ】
0003221176.tif 000013
【図６Ｂ】
0003221176.tif 000014
【図７】
0003221176.tif 000015